(57)【要約】【課題】  空気清浄機のプレフィルタの自動清掃装置を安価に構成すること。【解決手段】  室内空気を吸い込み吐出する第１の風路５に配置されたフィルタ手段６及び送風ファン装置７と、送風ファン装置７により吸引され、第１の風路５に対して並列もしくは分岐状に設けられた第２の風路８と、第２の風路８に連通し、フィルタ手段６のフィルタ表面上を移動してゴミを吸引し捕集するフィルタ清掃手段９とを備えた構成。【選択図】  図２
2006289235.tif 000002
【特許請求の範囲】
【請求項１】
室内空気を吸い込み吐出する第１の風路に配置されたフィルタ手段及びファン装置と、
前記ファン装置により吸引され、前記第１の風路に対して並列もしくは分岐状に設けられた第２の風路と、
前記第２の風路に連通し、前記フィルタ手段のフィルタ表面上を移動してゴミを吸引し捕集するフィルタ清掃手段と、
を備えたことを特徴とする空気清浄機。
【請求項２】
フィルタ清掃手段は、吸引口を有する連結具を介して移動手段のベルトに連結され、前記ベルトは前記フィルタ手段の側方に形成される本体内空間をほぼ塞ぐように設けられていることを特徴とする請求項１記載の空気清浄機。
【請求項３】
フィルタ清掃手段は、前記フィルタ手段のフィルタ表面のゴミを吸引する吸引ダクトと、この吸引ダクトに連通し、前記ベルトの連結具に取り付けられるベルト連結部に対して着脱自在なダストボックスとを有することを特徴とする請求項２記載の空気清浄機。
【請求項４】
前記フィルタ手段は、室内空気を浄化するための複数のフィルタからなり、そのうちの空気中の粗ゴミを取り除くプレフィルタに対して前記フィルタ清掃手段を設けたことを特徴とする請求項１乃至３のいずれかに記載の空気清浄機。
【発明の詳細な説明】
【技術分野】
【０００１】
本発明は、空気清浄機に関し、特にフィルタの清掃装置を備えた空気清浄機に関する。
【背景技術】
【０００２】
空気調和機において、フィルタ上を移動自在に形成されたゴミ吸引部と除去したゴミを収納するゴミ収納部からなるフィルタ清掃装置と、吸引ファン部と、ゴミ吸引部と吸引ファン部を連結する吸引ダクトと、フィルタを回動させる回動手段を設け、ゴミ吸引部とフィルタが、相互に移動することによってフィルタ全面を清掃するものがある（例えば、特許文献１参照）。
【０００３】
【特許文献１】特開２００２−３４０３９５号公報（第５頁、図１）
【発明の開示】
【発明が解決しようとする課題】
【０００４】
空気清浄機には、プレフィルタ、集塵フィルタ、脱臭フィルタが配置されている。ファン装置により空気清浄機に取り入れられた空気は、プレフィルタで粗ゴミを、集塵フィルタで細かい塵やホコリを、脱臭フィルタで臭いを取り除くことにより室内空気の浄化を行っている。
【０００５】
上記のような空気清浄機において、プレフィルタは、フィルタ最上流に配置され、且つ粗ゴミを取っているため目詰まりがしやすい。プレフィルタが目詰まりすることにより、空気清浄機本体の風量が低下するために、集塵能力も初期に比べて大幅に低下することとなる。
【０００６】
従来、プレフィルタは月に一回程度掃除機による清掃が必要であった。また、清掃するまで、空気清浄機の性能は常に低下していくこととなっていた。
【０００７】
一方、空気調和機において、プレフィルタの自動清掃を行うものがあるが、特許文献１の構成では、送風ファン装置とは別にゴミ吸引用のファン装置や、ゴミ吸引部を移動させるための駆動装置、フィルタを回動するための回動装置などが必要であり、コストがかかる構成となっていた。
【０００８】
本発明は、上記の課題を解決するためになされたもので、空気清浄機のプレフィルタの自動清掃装置を安価に構成することを目的としたものである。
【課題を解決するための手段】
【０００９】
本発明に係る空気清浄機は、室内空気を吸い込み吐出する第１の風路に配置されたフィルタ手段及びファン装置と、前記ファン装置により吸引され、前記第１の風路に対して並列もしくは分岐状に設けられた第２の風路と、前記第２の風路に連通し、前記フィルタ手段のフィルタ表面上を移動してゴミを吸引し捕集するフィルタ清掃手段と、を備えたことを特徴とするものである。
【発明の効果】
【００１０】
本発明に係る空気清浄機によれば、室内空気を吸い込み吐出する第１の風路にフィルタ手段とファン装置を配置するとともに、同じファン装置により吸引される第２の風路を第１の風路に対して並列もしくは分岐状に設け、この第２の風路に連通するようにフィルタ清掃手段を移動可能に設け、同じファン装置の吸引圧力を利用してフィルタ表面のゴミを吸引し捕集するものであるので、送風ファン装置とは別にゴミ吸引用のファン装置を設ける必要はなく、また、フィルタは固定静止状態のため、フィルタ回動装置が必要なくなるため、安価にてフィルタ清掃装置を構成することができる。
【発明を実施するための最良の形態】
【００１１】
実施の形態１.
以下、本発明の実施の形態１を図１〜図３の図面に基づいて説明する。
図１は本発明の実施の形態１を示す空気清浄機の吸込口パネルを外した状態の斜視図、図２は本発明の実施の形態１を示す空気清浄機の横断面図、図３は本発明の実施の形態１を示す空気清浄機の縦断面図である。
【００１２】
この空気清浄機においては、本体１の前面に吸込口パネル２が取り付けられている。吸込口パネル２には前面および側面に室内空気の吸込口３が設けられている。浄化された空気を室内へ吹き出す吹出口４は本体１の上面に設けられている。
本体１の内部において、吸込口３と吹出口４とを連通する第１の風路５にはフィルタ手段６と送風ファン装置７が配置されている。フィルタ手段６は、室内空気を浄化するための複数のフィルタからなり、例えば上流側より順に、送風ファン装置７により吸引された室内空気中の粗ゴミを取り除くプレフィルタ６ａ、細かい塵や埃を取り除く集塵フィルタ６ｂ、および臭いを取り除く脱臭フィルタ６ｃを固定して配置することにより構成されている。
【００１３】
そして、上記の同一の送風ファン装置７によって吸引される第２の風路８が第１の風路５に対して並列もしくは分岐状に設けられている。第２の風路８はフィルタ手段６の側方に形成されている。さらに、第２の風路８には、フィルタ手段６のプレフィルタ６ａの表面上のゴミを吸引し捕集するフィルタ清掃手段９が上下移動可能に設けられている。なお、フィルタ清掃手段９の移動方向は上下方向に限定されるものではなく、水平方向でもよい。この場合、フィルタ清掃手段９は図１に示す横向きから縦向きに変更される。
【００１４】
このフィルタ清掃手段９は、後述するベルトに連結されて上下移動可能となっている。フィルタ清掃手段９は、プレフィルタ６ａの前面に対面して水平方向に延びる吸引ダクト１０と、吸引ダクト１０の基端部に設けられた箱状のベルト連結部１１と、ベルト連結部１１に着脱自在に装着されるダストボックス１２とから構成されている。吸引ダクト１０のプレフィルタ６ａに対面する吸引部には複数の吸引孔１３が設けられている。吸引ダクト１０とダストボックス１２は連通口１４を介して連通しており、またダストボックス１２の内部は開口部に設けられたフィルタ１５を介して第２の風路８に連通している。フィルタ１５はダストボックス１２内の捕集ゴミを本体１内や室内に排出しないように防止するために設けられている。また、ダストボックス１２はベルト連結部１１に対して白抜きの矢印ａで示すように本体１の前面側から引き出し式に出し入れできるようになっている。なお、吸引孔１３の形状や配列等は特に限定されるものではない。丸穴や長穴など任意の穴形状でよく、配列についても単列、千鳥、格子配列等任意である。また、長穴の向きも水平、垂直、あるいは斜め方向のいずれでもよい。そのうち、斜め方向の長穴の配列とするのがプレフィルタ６ａの清掃上もっとも適当である。
【００１５】
フィルタ清掃手段９の上下移動手段１６は、上下に配置されたベルトプーリ１７、１８にベルト１９が巻き取られるようになっており、ベルト１９は吸引口２０を有する連結具２１に連結されている。また、ベルト１９はフィルタ手段６の側方に形成されるフィルタ取付壁２２と本体側壁２３との間の本体内空間（この例では縦空間）をほぼ塞ぐように設けられている。そして、この連結具２１に上記吸引ダクト１０のベルト連結部１１が取り付けられている。また、ダストボックス１２はフィルタ１５を吸引口２０に向けてベルト連結部１１に装着される。２４はダストボックス１２の把手である。
【００１６】
さらに、ベルトプーリ１７、１８と一体の各プーリ部間には駆動ベルト２５が巻回され、一方のベルトプーリ１７に駆動モータ２６が結合されている。なお、この実施の形態では、ベルト１９と駆動ベルト２５を別体に構成しているが、一つのベルト１９だけでも構わない。例えば、歯付きベルトをベルトプーリ１７、１８間に巻回し、そのベルトの両端に連結具２１を取り付ける構成としてもよい。但し、連結具２１と反対側のベルト部分に連通孔を設けるか、あるいはガイドプーリによりベルトを屈曲して前後のベルト部分間の空間が第２の風路８に連通するようにする必要がある。
【００１７】
次に、この空気清浄機の主にフィルタ清掃動作について説明する。
プレフィルタ６ａの清掃時には、送風ファン装置７の吸引圧力が第１の風路５を通じてフィルタ手段６にかかるとともに、第１の風路５に対して並列もしくは分岐状に設けられた第２の風路８を通じてフィルタ清掃手段９にかかる。しかし、フィルタ手段６の空気抵抗に比べてフィルタ清掃手段９の空気抵抗が小さいので、プレフィルタ６ａの集塵圧力Ｐ１とフィルタ清掃手段９のゴミ吸引圧力Ｐ２との関係は、Ｐ１＜Ｐ２となる。この圧力差により、吸引ダクト１０がプレフィルタ６ａの表面上のゴミを吸引する。吸引されたゴミは吸引ダクト１０内を通ってダストボックス１２内に回収される。ダストボックス１２にはフィルタ１５が取り付けられているので、捕集されたゴミが本体１内に、さらには吹出口４から室内に排出されることはない。
【００１８】
また、フィルタ清掃手段９が連結具２１を介して連結されたベルト１９はフィルタ手段６の側方に形成された本体内空間をほぼ塞いでおり、フィルタ清掃手段９の吸引ダクト１０のゴミ吸引部には連結具２１の吸引口２０を通じて送風ファン装置７の吸引圧力が集中的にかかるため、フィルタ清掃手段９に作用するゴミ吸引圧力Ｐ２を高めることができ、上記プレフィルタ６ａの集塵圧力Ｐ１との圧力差をさらに大きくすることができる。したがって、プレフィルタ６ａの表面上のゴミを効率よく吸引することができる。
【００１９】
また、駆動モータ２６が駆動すると、駆動ベルト２５の回動によりベルト１９はベルトプーリ１７、１８のいずれか一方に巻き取られ、これによってフィルタ清掃手段９が上または下に移動する。したがって、フィルタ清掃手段９の吸引ダクト１０はプレフィルタ６ａ上を上下に移動することができ、プレフィルタ６ａを全面にわたって清掃することができる。
【００２０】
また、ダストボックス１２は吸引ダクト１０のベルト連結部１１に対して引き出し式に着脱可能になっているので、定期的にダストボックス１２を取り出すことにより、回収捕集されたゴミを廃棄することができる。
【００２１】
上述のように、本実施の形態１では、固定静止したプレフィルタ６ａ上を吸引ダクト１０が、移動しながら吸引を行いプレフィルタ６ａの全面の清掃を行うことができるため、空気清浄機の性能低下を防ぐことができる。
また、空気清浄機の使用者は、定期的にダストボックス１２を本体１より取り外し、ダストボックス１２内にたまったゴミを捨てるだけで良いため、プレフィルタ６ａの清掃の手間がかからない。
【００２２】
また、吸込口３と吹出口４を連通する第１の風路５上に、プレフィルタ６ａ、集塵フィルタ６ｂ、脱臭フィルタ６ｃからなるフィルタ手段６と送風ファン装置７を配置するとともに、この送風ファン装置７により吸引される第２の風路８を第１の風路５に対して並列もしくは分岐状に設け、この第２の風路８にフィルタ清掃手段９を連通して設けた構成であるので、同じ送風ファン装置７を用いてその送風ファンの吸引圧力によりプレフィルタ６ａ上のゴミを吸引捕集することができるため、ゴミ吸引用のファン装置を別途設ける必要がなく、また、フィルタ清掃手段９の移動のみで、フィルタ全面の清掃を行うことができるため、フィルタ回動装置の必要がないため、安価にフィルタ自動清掃装置を構成することができる。
【図面の簡単な説明】
【００２３】
【図１】本発明の実施の形態１を示す空気清浄機の斜視図である。
【図２】本発明の実施の形態１を示す空気清浄機の横断面図である。
【図３】本発明の実施の形態１を示す空気清浄機の縦断面図である。
【符号の説明】
【００２４】
１  本体、２  吸込口パネル、３  吸込口、４  吹出口、５  第１の風路、６  フィルタ手段、６ａ  プレフィルタ、６ｂ  集塵フィルタ、６ｃ  脱臭フィルタ、７  送風ファン装置、８  第２の風路、９  フィルタ清掃手段、１０  吸引ダクト、１１  ベルト連結部、１２  ダストボックス、１３  吸引孔、１４  連通口、１５  フィルタ、１６  上下移動手段、１７、１８  ベルトプーリ、１９  ベルト、２０  吸引口、２１  連結具、２２  フィルタ取付壁、２３  本体側壁、２４  把手、２５  駆動ベルト、２６  駆動モータ。
【図１】
2006289235.tif 000003
【図２】
2006289235.tif 000004
【図３】
2006289235.tif 000005